(57)【要約】      （修正有）【課題】波の力で動力を得る波力発電機を提供する。【解決手段】波の凹凸変動により上下するフロートにピストンロッドを結合し、ピストンロッドの上下動によりシリンダー内のピストンを上下させて空気を圧縮し、この圧縮した空気を圧力タンク内に貯蔵し、圧力タンクに付いている開閉バルブを開くことによって、Ｖベルトで発電機と連結するタービンに圧縮した空気を供給し、タービンを回転させる。【選択図】図１
0003201006.tif 000002
【実用新案登録請求の範囲】
【請求項１】
波の凹凸変動を利用しフロートの船の浮力をいかしシリンダー内のピストンを上下させ、この圧縮した空気を貯蔵空気圧縮タンク内に溜め貯蔵空気圧縮タンク内のエアーバルブを開く事に寄って圧縮した空気をタービンに供給しタービンと発電機を連結する事に寄って発電機が回転します。
波力発電２号機と言う物は上下で圧縮するものです。
往復圧縮運動を採用しています。
図１、でピストンが一番上に上がってます。
すると下のシリンダー内は負圧になっています。すると下の吸入バルブから空気が吸入されています。
するとピストンが下ります、下のシリンダー内の空気は排気バルブを通り圧力タンク内へ導びかれます。すると上のシリンダーが負圧になります。そうしたら上の吸入バルブから空気が吸入されます。
するとピストンが上ります。すると上のシリンダー内の空気は排気バルブを通り圧力タンク内へ導びます。又、下のシリンダーは負圧となります。すると又、下の吸入バルブから空気が吸入され又ピストンが下りますと空気は排気バルブを通り高圧パイプを通り圧力タンク内へ導びきます。又上のシリンダー内が負圧になります。すると又、ピストンが上に上がります。すると上の空気は排気バルブを通り圧力タンク内へと導びかれます。これでおわかりになったでしょうが、上と下で圧縮するものですから１号機の２倍の早さで空気が溜るのでこれを特微としこれが波力発電２号機です。
フロートに鉛が付いています。ウエイトです。下がると抵抗がかかるからです、圧力タンク内に空気が多く溜る程ピストンに負荷が多くかかります。そのためフロートに鉛を取付けました。
そして圧力タンクに排気バルブを取付ました。
【考案の詳細な説明】
【符号の説明】ａ．ピストン
ｂ．上部ピストンリング、Ｏ−リングピストンとシリンダー間の気密漏れを防くため。
ｃ．下部ピストンリング、Ｏ−リングピストンとシリンダー間の気密漏れ防ぐため。
Ｄ．上部ヘッド
Ｅ．下部ヘッド
Ｆ．吸入パイプフランジ
Ｇ．吸入バルブ
Ｈ．吸入バルブ取付特殊ボルト、
Ｉ．吸入パイプフランンジ取付ボルト
0003201006.tif 000003
Ｋ  排気ポート
Ｌ．排気管
Ｍ  シリンダーヘツト取付ボルト
0003201006.tif 000004
Ｏ  吸入パイプ
Ｐ．エヤクリナー
Ｑ．吸入パイプフランジ取付ボルト。
ｒ  吸入パイプフランジ
Ｓ  上部オイルシール
Ｔ  Ｔ部オイルシール
Ｕ．吸入ポート
Ｖ．排気ポート
Ｗ  排気フランジ
Ｘ  排気ボルト
Ｙ  下部ヘツト取付ボルト
Ｚ．浮取付ナツト
ａ″．浮
ｂ″  浮取付ボルト
ｃ″  浮取付フランジ
Ｄ″  鉛
Ｅ．ブラケツト
Ｆ″．フラケト取付ボルト
Ｇ″．支柱
Ｈ″．Ｈ鋼
Ｉ″  ピストンロット
Ｊ″．高圧パイプ、下の圧力タンクへつながります
Ｋ″．フロート、フランジ止めぼると
Ｌ″．フレーム。
Ｎ″．排気フランジ取付ボルト。
【図１】
0003201006.tif 000005
【図２】
0003201006.tif 000006
【図３】
0003201006.tif 000007
【図４】
0003201006.tif 000008
【図５】
0003201006.tif 000009
【図６】
0003201006.tif 000010
【図７】
0003201006.tif 000011
【手続補正書】
【提出日】平成26年11月20日(2014.11.20)
【手続補正１】
【補正対象書類名】実用新案登録請求の範囲
【補正対象項目名】全文
【補正方法】変更
【補正の内容】
【実用新案登録請求の範囲】
【請求項１】
波の凹凸変動を利用しフロートの船の浮力をいかしシリンダー内のピストンを上下させ、この圧縮した空気を貯蔵空気圧縮タンク内に溜め貯蔵空気圧縮タンク内のエアーバルブを開く事に寄って圧縮した空気をタービンに供給しタービンと発電機を連結する事に寄って発電機が回転します。
波力発電２号機と言う物は上下で圧縮するものです。
往復圧縮運動を採用しています。
図１．でピストンが一番上に上がってます。
すると下のシリンダー内は負圧になっています。すると下の吸入バルブから空気が吸入されています。
するとピストンが下ります、下のシリンダー内の空気は排気バルブを通り圧力タンク内へ導びかれます。すると上のシリンダーが負圧になります。そうしたら上の吸入バルブから空気が吸入されます。
するとピストンが上ります。すると上のシリンダー内の空気は排気バルブを通り圧力タンク内へ導びます。又、下のシリンダーは負圧ととなります。すると又、下の吸入バルブから空気が吸入され又、ピストンが下りますと空気は排気バルブを通り高圧パイプを通り圧力タンク内へ導びきます。又上のシリンダー内が負圧になります。すると又、ピストンが上に上がります。すると上の空気は排気バルブを通り圧力タンク内へと導びかれます。これでおわかりになったでしょうが、上と下で圧縮するものですから１号機の２倍の早さで空気が溜るのでこれを特微としこれが波力発電２号機です。
フロートに鉛が付いています。ウエイです。下がると抵抗がかかるからです、圧力タンク内に空気が多く溜る程ピストンに負荷が多くかかります。そのためフロートに鉛を取付けました。
そして圧力タンクに排気バルブを取付ました。
【手続補正２】
【補正対象書類名】明細書
【補正対象項目名】全文
【補正方法】変更
【補正の内容】
【考案の詳細な説明】
【技術分野】
【０００１】燃料たカず電気を発生させる。
【考案が解決しようとする課題】
【０００２】海がいつもしけている場所をえらふ。
【図面の簡単な説明】
【０００３】
【図１】ピストンが圧縮上死点有ります。
【図２】（立体図）ピストンが中間に有ります。
【図３】ピストンが１番上に上ってます
【図４】ピストンが中間に有ります。ピストンが下に向ってます。
【図５】完成図です
【図６】ピストンが中間に有ます。上に向っいます。
【図７】圧縮タンクです。入口の高圧パイプは上のポンプ側と付ながっている。このシステムを書きました
【手続補正４】
【補正対象書類名】図面
【補正対象項目名】全図
【補正方法】変更
【補正の内容】
【図１】
0003201006.tif 000012
【図２】
0003201006.tif 000013
【図３】
0003201006.tif 000014
【図４】
0003201006.tif 000015
【図５】
0003201006.tif 000016
【図６】
0003201006.tif 000017
【図７】
0003201006.tif 000018
【手続補正書】
【提出日】平成27年1月26日(2015.1.26)
【手続補正１】
【補正対象書類名】実用新案登録請求の範囲
【補正対象項目名】全文
【補正方法】変更
【補正の内容】
【実用新案登録請求の範囲】
【請求項１】
波の凹凸変動を利用しフロートの船の浮力をいかしシリンダー内のピストンを上下させ、この圧縮した空気を貯蔵空気圧縮タンク内に溜め貯蔵空気圧縮タンク内のエアーバルブを開く事に寄って圧縮した空気をタービンに供給しタービンと発電機を連結する事に寄って発電機が回転します
波力発電２号機と言う物は上下で圧縮するものです
往復圧縮運動を採用しています
図１、でピストンが一番上に上がってます
すると下のシリンダー内は負圧になっています  すると下の吸入バルブから空気が吸入されています、
するとピストンが下ります、下のシリンダー内の空気は排気バルブを通り圧力タンク内へ導びかれます、すると上のシリンダーが負圧になります、そうしたら上の吸入バルブから空気が吸入されます
するとピストンが上ります  すると上のシリンダー内の空気は排気バルブを通り圧力タンク内へ導びます  又、下のシリンダーは負圧となります  すると又、下の吸入バルブから空気が吸入され又ピストンが下りますと空気は排気バルブを通り高圧パイプを通り圧力タンク内へ導びきます、又上のシリンダー内が負圧になります。すると又、ピストンが上に上がります  すると上の空気は排気バルブを通り圧力タンク内へと導びかれます、これでおわかりになったでしょうが、上と下で圧縮するものですから１号機の２倍の早さで空気が溜るのでこれを特微としこれが波力発電２号機です
フロートに鉛が付いています  ウエイです。下がると抵抗がかかるからです、圧力タンク内に空気が多く溜る程ピストンに負荷が多くかかります。そのためフロートに鉛を取付けました、
そして圧力タンクにセフテイエヤリリーフバルブ取付ました。
【手続補正３】
【補正対象書類名】図面
【補正対象項目名】全図
【補正方法】変更
【補正の内容】
【図１】
0003201006.tif 000019
【図２】
0003201006.tif 000020
【図３】
0003201006.tif 000021
【図４】
0003201006.tif 000022
【図５】
0003201006.tif 000023
【図６】
0003201006.tif 000024
【図７】
0003201006.tif 000025
【手続補正書】
【提出日】平成27年5月18日(2015.5.18)
【手続補正１】
【補正対象書類名】実用新案登録請求の範囲
【補正対象項目名】全文
【補正方法】変更
【補正の内容】
【実用新案登録請求の範囲】
【請求項１】
波の凹凸変動を利用しフロートの船の浮力をいかし、シリーダー内のピストンを上下させ、この圧縮した空気を貯蔵空気圧力タンク内に溜め、貯蔵した空気を圧力タンクに付いている開閉バルブを開く事に寄って圧縮した空気をタービンに供給し、タービンが回転しＶベルトで発電機と連結、よって発電機が回転します。（タービンの最高回転数１万５０００回転）波力発電２号機と言う物は、上下で圧縮するものです。
0003201006.tif 000026
【手続補正書】
【提出日】平成27年6月8日(2015.6.8)
【手続補正１】
【補正対象書類名】実用新案登録請求の範囲
【補正対象項目名】全文
【補正方法】変更
【補正の内容】
【実用新案登録請求の範囲】
【請求項１】
波の凹凸変動を利用しフロートの船の浮力をいかしシリンダー内のピストンを上下させ、この圧縮した空気を貯蔵空気圧縮タンク内に溜め貯蔵空気圧縮タンク内のエアーバルブを開く事に寄って圧縮した空気をタービンに供給しタービンと発電機を連結する事に寄って発電機が回転します。
波力発電２号機と言う物は上下で圧縮するものです。
0003201006.tif 000027
図１、でピストンが一番上に上がってます。
すると下のシリンダー内は負圧になっています。すると下の吸入バルブから空気が吸入されています。
するとピストンが下ります、下のシリンダー内の空気は排気バルブを通り圧力タンク内へ導びかれます。すると上のシリンダーが負圧になります。そうしたら上の吸入バルブから空気が吸入されます。
するとピストンが上ります。すると上のシリンダー内の空気は排気バルブを通り圧力タンク内へ導びます。又、下のシリンダーは負圧となります。すると又、下の吸入バルブから空気が吸入され又ピストンが下りますと空気は排気バルブを通り高圧パイプを通り圧力タンク内へ導びきます。又上のシリンダー内が負圧になります。すると又、ピストンが上に上がります。すると上の空気は排気バルブを通り圧力タンク内へと導びかれます。これでおわかりになったでしようが、上と下で圧縮するものですから１号機の２倍の早さで空気が溜るのでこれを特微としこれが波力発電２号機です。
フロートに鉛が付いています。ウエイトです。下がると抵抗がかかるからです、圧力タンク内に空気が多く溜る程ピストンに負荷が多くかかります。そのためフロートに鉛を取付けました。
そして圧力タンクに排気バルブを取付ました。
【手続補正書】
【提出日】平成27年8月20日(2015.8.20)
【手続補正１】
【補正対象書類名】実用新案登録請求の範囲
【補正対象項目名】全文
【補正方法】変更
【補正の内容】
【実用新案登録請求の範囲】
【請求項１】
波の凹凸変動により上下するフロートにピストンロッドを結合し、ピストンロッドの上下動によりシリンダー内のピストンを上下させて空気を圧縮し、この圧縮した空気を圧力タンク内に貯蔵し、圧力タンクに付いている開閉バルブを開くことによって、Ｖベルトで発電機と連結するタービンに圧縮した空気を供給し、タービンを回転させることを特徴とする波力発電機。